(57)【要約】【課題】媒体である資源の有効利用を図り、媒体の廃棄の手間も抑制する。【解決手段】実施形態の媒体作成装置は、媒体特定情報が予め記録された半導体記憶装置を備えた未記録状態の媒体が投入され、当該媒体に対して施すべき一連の媒体作成処理を行う複数の媒体作成処理部が搬送経路に沿って順次配置され、各種情報が記録された媒体を作成する。記憶部は、複数の媒体作成処理部間における媒体の搬送中に搬送エラーが発生した場合に、搬送エラーの発生直前の媒体作成処理が完了した前記媒体作成処理部を特定可能な情報を媒体特定情報に対応づけて記憶し、制御部は、媒体特定情報に基づいて搬送エラーが発生した媒体が再投入されたと判別した場合に、記憶部を参照し、複数の媒体作成処理部のうち、既に正常に処理が完了した媒体作成処理部における処理を省かせるように制御する。【選択図】図１
2015063026.tif 000002
【特許請求の範囲】
【請求項１】
媒体特定情報が予め記録された半導体記憶装置を備えた未記録状態の媒体が投入され、当該媒体に対して施すべき一連の媒体作成処理を行う複数の媒体作成処理部が搬送経路に沿って順次配置され、各種情報が記録された前記媒体を作成する媒体作成装置において、
前記複数の媒体作成処理部間における前記媒体の搬送中に搬送エラーが発生した場合に、前記搬送エラーの発生直前の媒体作成処理が完了した前記媒体作成処理部を特定可能な情報を前記媒体特定情報に対応づけて記憶する記憶部と、
前記媒体特定情報に基づいて前記搬送エラーが発生した前記媒体が再投入されたと判別した場合に、前記記憶部を参照し、前記複数の媒体作成処理部のうち、既に正常に処理が完了した媒体作成処理部における処理を省かせるように制御する制御部と、
を備えた媒体作成装置。
【請求項２】
前記制御部は、既に正常に処理が完了した媒体作成処理部における処理を省かせるべく、既に正常に処理が完了した全ての媒体作成処理部における処理を禁止して、既に正常に処理が完了した最後段の媒体作成処理部の次段の媒体作成処理部への前記媒体の搬送を行う、
請求項１記載の媒体作成装置。
【請求項３】
既に正常に処理が完了した最後段の媒体作成処理部の後段の媒体作成処理部のさらに後段で搬送エラーが発生した場合に、前記記憶部に記憶されている情報を更新する情報更新部を備えた、
請求項１又は請求項２記載の媒体作成装置。
【請求項４】
オペレータに対し、前記媒体の再投入操作を行わせるべく前記搬送エラーが発生したことを通知する通知部を備えた、
請求項１乃至請求項３のいずれかに記載の媒体作成装置。
【請求項５】
前記媒体作成処理部として、印刷を行う印刷部を備えている、
請求項１乃至請求項４のいずれかに記載の媒体作成装置。
【請求項６】
複数の前記印刷部を備えている、
請求項５記載の媒体作成装置。
【請求項７】
前記媒体は、冊子形状を有し、
前記印刷部の印刷対象頁まで頁をめくるめくり部を備えている、
請求項５又は請求項６記載の媒体作成装置。
【請求項８】
前記媒体作成処理部として、半導体記憶装置に各種情報を書き込む情報書込部を備えている、
請求項１乃至請求項７のいずれかに記載の媒体作成装置。
【請求項９】
媒体特定情報が予め記録された半導体記憶装置を備えた未記録状態の媒体が投入され、当該媒体に対して施すべき一連の媒体作成処理を行う複数の媒体作成処理部が搬送経路に沿って順次配置され、各種情報が記録された前記媒体を作成する媒体作成装置で実行される制御方法において、
前記複数の媒体作成処理部間における前記媒体の搬送中に搬送エラーが発生した場合に、前記搬送エラーの発生直前の媒体作成処理が完了した前記媒体作成処理部を特定可能な情報を前記媒体特定情報に対応づけて記憶する記憶過程と、
前記媒体特定情報に基づいて前記搬送エラーが発生した前記媒体が再投入されたと判別した場合に、前記記憶部を参照し、前記複数の媒体作成処理部のうち、既に正常に処理が完了した媒体作成処理部における処理を省かせるように制御する制御過程と、
を備えた媒体作成装置の制御方法。
【請求項１０】
媒体特定情報が予め記録された半導体記憶装置を備えた未記録状態の媒体が投入され、当該媒体に対して施すべき一連の媒体作成処理を行う複数の媒体作成処理部が搬送経路に沿って順次配置され、各種情報が記録された前記媒体を作成する媒体作成装置をコンピュータにより制御するための制御プログラムであって、
前記コンピュータを、
前記複数の媒体作成処理部間における前記媒体の搬送中に搬送エラーが発生した場合に、前記搬送エラーの発生直前の媒体作成処理が完了した前記媒体作成処理部を特定可能な情報を前記媒体特定情報に対応づけて記憶する記憶手段と、
前記媒体特定情報に基づいて前記搬送エラーが発生した前記媒体が再投入されたと判別した場合に、前記記憶部を参照し、前記複数の媒体作成処理部のうち、既に正常に処理が完了した媒体作成処理部における処理を省かせるように制御する制御手段と、
して機能させる制御プログラム。
【発明の詳細な説明】
【技術分野】
【０００１】
本発明の実施形態は、媒体作成装置、媒体作成装置の制御方法及び制御プログラムに関する。
【背景技術】
【０００２】
従来、保険証、クレジットカード、免許証、旅券等のIＣチップを内蔵している媒体に顔写真、書誌事項等の印刷や、各種データのＩＣチップへの書き込みを行う媒体作成装置が知られている。
【０００３】
このような媒体作成装置においては、ＩＣチップの情報読取工程、各種印刷工程及びＩＣチップへの情報書込工程等の工程の途中で媒体搬送エラーが発生した場合には、当該媒体搬送エラーが発生した媒体については、無条件で廃棄対象とし、新たな媒体を用いて媒体作成を行う構成を採っていた。
【先行技術文献】
【特許文献】
【０００４】
【特許文献１】特開２００８−１２３３０１号公報
【発明の概要】
【発明が解決しようとする課題】
【０００５】
ところで、上記従来の媒体作成装置において、廃棄対象となった媒体の中には、外観上、および、実使用上全く問題が無いにもかかわらず、媒体搬送エラーが発生したと言うだけで廃棄対象となってしまった媒体も存在し、無駄に廃棄されてしまうので作成コストが上昇するとともに、資源の有効利用も図れないという問題があった。
【０００６】
さらにセキュリティ確保の観点から、廃棄対象の媒体は確実に処理する必要があり、廃棄のための手間も馬鹿にならないという問題があった。
本発明は、上記に鑑みてなされたものであって、媒体である資源の有効利用を図ることが出来るとともに、媒体の廃棄の手間も抑制することが可能な媒体作成装置、媒体作成装置の制御方法及び制御プログラムを提供することにある。
【課題を解決するための手段】
【０００７】
実施形態の媒体作成装置は、媒体特定情報が予め記録された半導体記憶装置を備えた未記録状態の媒体が投入され、当該媒体に対して施すべき一連の媒体作成処理を行う複数の媒体作成処理部が搬送経路に沿って順次配置され、各種情報が記録された媒体を作成する。
【０００８】
ここで、記憶部は、複数の媒体作成処理部間における媒体の搬送中に搬送エラーが発生した場合に、搬送エラーの発生直前の媒体作成処理が完了した前記媒体作成処理部を特定可能な情報を媒体特定情報に対応づけて記憶する。
そして、制御部は、媒体特定情報に基づいて搬送エラーが発生した媒体が再投入されたと判別した場合に、記憶部を参照し、複数の媒体作成処理部のうち、既に正常に処理が完了した媒体作成処理部における処理を省かせるように制御する。
【図面の簡単な説明】
【０００９】
【図１】図１は、実施形態の媒体作成システムの概要構成ブロック図である。
【図２】図２は、媒体作成装置の概要構成ブロック図である。
【図３】図３は、実施形態の動作処理フローチャートである。
【図４】図４は、冊子搬送処理の処理フローチャートである。
【図５】図５は、履歴情報データベースの構成例の説明図である。
【発明を実施するための形態】
【００１０】
次に実施形態について図面を参照して説明する。
図１は、実施形態の媒体作成システムの概要構成ブロック図である。
媒体作成システム１０は、オペレータ１１の操作により各種データが入力される入力端末装置１２と、入力端末装置１２により入力されたデータに基づいてＩＣチップが内蔵された媒体に対し、印刷及びデータの書き込みを行って媒体作成を行う複数の媒体作成装置１３と、複数の媒体作成装置から作成状況等のデータを収集する上位端末装置１４と、入力端末装置１２、媒体作成装置１３及び上位端末装置１４を通信可能に接続する通信ネットワーク１５と、を備えている。
【００１１】
入力端末装置１２は、いわゆるマイクロコンピュータとして構成されており、入力端末装置１２全体を制御するＭＰＵと、ＭＰＵ上で動作する制御プログラム等を不揮発的に記憶するＲＯＭと、ＭＰＵのワーキングエリアとして機能し、一時的に各種データを記憶するＲＡＭと、ハードディスクドライブ等として構成され大容量のデータを更新可能かつ不揮発的に記憶する外部記憶装置と、キーボード、マウス、スキャナ、カメラ、ＩＣカードリーダ等として構成された入力装置と、ディスプレイ、プリンタ、ＩＣカードライタ等として構成された出力装置と、通信ネットワーク１５を介して外部との通信を行う通信インタフェースと、を備えている。
【００１２】
図２は、媒体作成装置の概要構成ブロック図である。
図２において、媒体作成装置は、複数頁を有する冊子状の旅券を作成するためのものである。
【００１３】
媒体作成装置１３は、複数の旅券用媒体を収納し、供給可能とする供給部２１と、旅券用媒体の印刷対象頁を開くために頁をめくる、めくり部２２と、旅券用媒体のＩＣチップに予め記録されている冊子管理番号（媒体管理番号）を読み取るためのＩＣ読取部２３と、印刷対象頁に対する印刷を行う印刷部２４と、印刷検査を行う検査部２５と、ＩＣチップに情報を書き込むＩＣ書込部２６と、ＩＣ書込部２６におけるＩＣチップに対する情報書込が正常に完了した旅券用媒体（正常旅券用媒体）が図示しない選別機構により収納される正常集積庫２７と、ＩＣ書込部２６におけるＩＣチップに対する情報書込が正常に完了しなかった旅券用媒体（不良旅券用媒体）が図示しない選別機構により収納される不良集積庫２８と、旅券用媒体を供給部２１からめくり部２２を介してＩＣ読取部２３まで搬送する第１搬送部２９と、冊子管理番号が読み取られた旅券用媒体をＩＣ読取部２３から印刷部２４まで搬送する第２搬送部３０と、印刷部２４において印刷がなされた旅券用媒体を印刷部２４から検査部２５まで搬送する第３搬送部３１と、検査部２５において検査が完了した旅券用媒体を検査部２５からＩＣ書込部２６まで搬送する第４搬送部３２と、旅券用媒体をＩＣ書込部２６から正常集積庫２７あるいは不良集積庫２８まで搬送する第５搬送部３３と、媒体作成装置全体を制御するコントローラ３４と、を備えている。
【００１４】
上記構成において、コントローラ３４は、いわゆるマイクロコンピュータとして構成されており、コントローラ３４全体を制御するＭＰＵと、ＭＰＵ上で動作する制御プログラム等を不揮発的に記憶するＲＯＭと、ＭＰＵのワーキングエリアとして機能し、一時的に各種データを記憶するＲＡＭと、ハードディスクドライブ、ＳＳＤ（Solid  State  Drive)等として構成され大容量のデータを更新可能かつ不揮発的に記憶する外部記憶装置３４Ａと、通信ネットワーク１５を介して外部との通信を行う通信インタフェースと、を備えている。
ここで、外部記憶装置３４Ａは、記憶部として機能している。
【００１５】
次に実施形態の動作を説明する。
図３は、実施形態の動作処理フローチャートである。
まずコントローラ３４は、供給部２１を制御し、供給部２１が収納している旅券用媒体を第１搬送部２９を介してめくり部２２に供給させ、めくり部２２は、供給された旅券用媒体を取り込む（ステップＳ１１）。
【００１６】
これにより、めくり部２２は、取り込んだ旅券用媒体をめくり、印刷頁まで頁を開く（ステップＳ１２）。そして第１搬送部２９により旅券用媒体をＩＣ読取部２３に搬送する。
ＩＣ読取部２３は、旅券用媒体のＩＣチップに予め記録されている媒体管理番号（冊子管理番号）を読み取る（ステップＳ１３）。
続いて、媒体管理番号が読み取られた旅券用媒体を印刷部２４に第２搬送部３０を介して搬送する媒体搬送処理がなされる（ステップＳ１４）。
【００１７】
図４は、冊子搬送処理の処理フローチャートである。
搬送部（この場合には、第２搬送部３０）による媒体搬送がなされると（ステップＳ３１）、これと並行してコントローラ３４は、搬送部（＝第２搬送部３０）による搬送エラーが発生したか否かを判別する（ステップＳ３２）。
ステップＳ３２の判別において、搬送部（＝第２搬送部３０）による搬送エラーが発生していない場合には（ステップＳ３２；Ｎｏ）、処理をステップＳ１５に移行する。
【００１８】
ステップＳ３２の判別において、搬送部（＝第２搬送部３０）による搬送エラーが発生した場合には（ステップＳ３２；Ｙｅｓ）、コントローラ３４は、当該旅券用媒体に対応する履歴情報が履歴情報データベースに登録されているか否かを判別する（ステップＳ３３）。
【００１９】
ここで、履歴情報データベースについて説明する。
図５は、履歴情報データベースの構成例の説明図である。
履歴情報データベース４１は、媒体管理番号を格納した媒体管理番号データ４２と、搬送エラーが発生する前に正常に完了した媒体作成工程を特定する情報を格納した媒体作成工程データ４３と、を備えている。
ここで、媒体作成工程データ４３は、搬送エラーの発生直前の媒体作成処理が完了した前記媒体作成処理部を特定可能な情報として機能している。
【００２０】
例えば、媒体管理番号データ＝「AB0000002」の媒体は、媒体作成工程データ＝「印刷」であるので、搬送エラーが発生するまでに印刷工程が完了していることを表しており、したがって、搬送エラーは、第３搬送部３１において発生したことがわかる。
【００２１】
ステップＳ３３の判別において、未だ当該旅券用媒体に対応する履歴情報が登録されていない場合には（ステップＳ３３；Ｎｏ）、履歴情報を新規登録して（ステップＳ３８）、処理をステップＳ３６に移行する。
【００２２】
ステップＳ３３の判別において、既に当該旅券用媒体に対応する履歴情報が登録されている場合には（ステップＳ３３；Ｙｅｓ）、コントローラ３４は、複数段階の媒体搬送工程のうち、前回正常に搬送が完了した媒体搬送工程よりも先に進んだ媒体搬送工程で搬送エラーが発生したか否かを判別する（ステップＳ３４）。
【００２３】
ステップＳ３４の判別において、複数段階の媒体搬送工程のうち、前回正常に搬送が完了した媒体搬送工程又は前回正常に搬送が完了した媒体搬送工程よりも手前の媒体搬送工程で搬送エラーが発生した場合には（ステップＳ３４；Ｎｏ）、処理をステップＳ３６に移行する。
【００２４】
ステップＳ３４の判別において、複数段階の媒体搬送工程のうち、前回正常に搬送が完了した媒体搬送工程よりも先に進んだ媒体搬送工程で搬送エラーが発生した場合には（ステップＳ３４；Ｙｅｓ）、コントローラ３４は、履歴情報において、前回に搬送が完了した媒体搬送工程に関する情報を更新する（ステップＳ３５）。
【００２５】
例えば、上述の例の場合、媒体管理番号データ＝「AB0000002」の媒体が印刷検査の正常完了後、第４搬送部３２で再度搬送エラーが発生した場合には、媒体作成工程データ＝「印刷」から媒体作成工程データ＝「印刷検査（ＯＫ）」というように履歴情報データベース４１の媒体作成工程データ４３が更新されることとなる。
【００２６】
そしてコントローラ３４は、媒体作成を停止し、エラー発生を音と画面とで通知する（ステップＳ３６）。
そして、コントローラ３４は、オペレータによる媒体作成再開指示待ち状態となる（ステップＳ３７）。
したがって、オペレータは、エラー発生の原因となった旅券用媒体を取り除き、図示しない入力装置を介して媒体作成再開指示を行うこととなる。
【００２７】
続いてコントローラ３４は、複数段階の媒体作成工程のうち、既に印刷工程が完了しているか否かを判別する（ステップＳ１５）。
ステップＳ１５の判別において、複数段階の媒体作成工程のうち、既に印刷工程が完了している場合には（ステップＳ１５；Ｙｅｓ）、再度印刷工程を繰り返す必要はないので、処理をステップＳ１７に移行する。
【００２８】
ステップＳ１５の判別において、複数段階の媒体作成工程のうち、未だ印刷工程が完了していない場合には（ステップＳ１５；Ｎｏ）、印刷工程を実行し、印刷を行う（ステップＳ１６）。
【００２９】
続いて、複数段階の媒体作成工程のうち印刷工程の次の媒体作成工程に旅券用媒体を搬送する媒体搬送工程を実行する（ステップＳ１７）。
すなわち、この場合には、図４に示した手順で、搬送部として第３搬送部３１により旅券用媒体を印刷部２４から検査部２５へ搬送する処理がなされる。
【００３０】
続いてコントローラ３４は、複数段階の媒体作成工程のうち、既に印刷検査工程が完了しているか否かを判別する（ステップＳ１８）。
ステップＳ１８の判別において、複数段階の媒体作成工程のうち、既に印刷検査工程が完了している場合には（ステップＳ１８；Ｙｅｓ）、再度印刷検査工程を繰り返す必要はないので、コントローラ３４は、処理をステップＳ２０に移行する。
【００３１】
ステップＳ１８の判別において、複数段階の媒体作成工程のうち、未だ印刷検査工程が完了していない場合には（ステップＳ１８；Ｎｏ）、コントローラ３４は、印刷検査工程を実行し、印刷検査を行う（ステップＳ１９）。
【００３２】
続いて、コントローラ３４は、複数段階の媒体作成工程のうち印刷検査工程の次の媒体作成工程であるＩＣ書込工程に旅券用媒体を搬送する媒体搬送工程を実行する（ステップＳ２０）。
すなわち、この場合には、図４に示した手順で、搬送部として第４搬送部３２により旅券用媒体を検査部２５からIＣ書込部２６へ搬送する処理がなされる。
【００３３】
続いてコントローラ３４は、検査部２５による印刷検査の結果が不良（ＮＧ）であったか否かを判別する（ステップＳ２１）。
ステップＳ２１の判別において、コントローラ３４は、検査部２５による印刷検査の結果が不良であった場合には（ステップＳ２１；Ｙｅｓ）、当該旅券用媒体を不良集積庫２８に排出して、処理を完了する（ステップＳ２６）。
【００３４】
ステップＳ２１の判別において、コントローラ３４は、検査部２５による印刷検査の結果が良好であった場合には（ステップＳ２１；Ｎｏ）、ＩＣ書込２６は、当該旅券用媒体のＩＣチップに個人情報を書き込み（ステップＳ２２）、当該旅券用媒体を正常集積庫２７に排出して（ステップＳ２３）、通信ネットワーク１５を介して上位端末装置１４に媒体作成の完了を通知し（ステップＳ２４）、履歴情報の削除を行って処理を完了する（ステップＳ２５）。
この結果、上位端末装置１４は、正常に作成された旅券用媒体に関する情報を保持（登録）することとなる。
【００３５】
以上の説明のように、本実施形態によれば、媒体の搬送エラーが発生した場合でも、媒体作成に影響がないと判断された媒体については、媒体作成を再開できるとともに、再投入した媒体については、途中まで実行された媒体作成工程については、省略が可能であるので、媒体作成時間が必要以上に長くなることがない。
【００３６】
以上の説明においては、印刷部は一つしか設けられていなかったが、例えば、Ｃ（シアン）印刷、Ｍ（マゼンダ）印刷、Ｙ（イエロー）印刷をそれぞれ行う複数の印刷部を設けた複数の印刷工程（＝媒体作成工程）を設け、各印刷部間で搬送エラーが発生した場合に、再度当該搬送エラーが発生した媒体を、再度投入して再度媒体作成を行う場合に、同様に既に完了した印刷工程を省略して新たな印刷工程に搬送するように構成することも可能である。
【００３７】
以上の説明においては、搬送エラーの発生直前の媒体作成処理が完了した媒体作成処理部を特定可能な情報として、搬送エラーが発生する前に正常に完了した媒体作成工程を特定する情報を格納していたが、搬送エラーが発生する前に正常に完了した媒体作成工程の次の媒体作成工程を特定する情報あるいは搬送エラーが発生する前に正常に完了した媒体作成工程の次の媒体作成工程の直前の搬送部を特定する情報（たとえば、搬送エラーが発生する前に正常に完了した媒体作成工程の次の媒体作成工程が検査部２５における工程であるとしたならば第３搬送部３１を特定する情報）、搬送エラーの発生直前の媒体作成処理が完了した媒体作成処理部を特定可能な情報とすることも可能である。
【００３８】
本実施形態の媒体作成装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００３９】
また、本実施形態の媒体作成装置で実行される制御プログラムを、インターネット等のネットワークに接続されたコンピュータ上に格納し、ネットワーク経由でダウンロードさせることにより提供するように構成しても良い。また、本実施形態の媒体作成装置で実行される制御プログラムをインターネット等のネットワーク経由で提供または配布するように構成しても良い。
また、本実施形態の媒体作成装置の制御プログラムを、ＲＯＭ等に予め組み込んで提供するように構成してもよい。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０    媒体作成システム
１２    入力端末装置
１３    媒体作成装置
１４    上位端末装置
１５    通信ネットワーク
２１    供給部
２２    めくり部
２３    ＩＣ読取部
２４    印刷部（媒体作成処理部）
２５    検査部（媒体作成処理部）
２６    ＩＣ書込部
２７    正常集積庫
２８    不良集積庫
２９    第１搬送部
３０    第２搬送部
３１    第３搬送部
３２    第４搬送部
３３    第５搬送部
３４    コントローラ（制御部、記憶部）
３４Ａ  外部記憶装置（記憶部）
【図１】
2015063026.tif 000003
【図２】
2015063026.tif 000004
【図３】
2015063026.tif 000005
【図４】
2015063026.tif 000006
【図５】
2015063026.tif 000007